(57)【特許請求の範囲】
【請求項１】
軸筒（１）の内部に、押子（２）と、この押子（２）の前端に取り付けられるリフィール（３）と、これらを後方へ付勢するスプリング（４）を、前記軸筒（１）の中心周りに複数組み備え、これら押子（２）の後端部に形成された操作突部（２ｂ）を、軸筒（１）の周壁に開穿される案内孔（１ｂ）から夫々外部へ突出させ、個別選択された押子（２）の操作突部（２ｂ）を前方へスライド操作することにより、該押子（２）に対応するリフィール（３）の筆記先端部（３ａ）を軸筒（１）の先端開口（１ａ）から突出させ、解除操作により突出状態のリフィール（３）を後退させる多色出没式筆記具であって、
前記押子（２）又はリフィール（３）の後端部に、スプリング（４）を押子（２）に対して移動不能にするための止着手段（５）を設け、
前記止着手段（５）は、前記押子（２）又はリフィール（３）の外周において軸筒（１）中心側に位置しないように部分的に配置されていることを特徴とする多色出没式筆記具。
【請求項２】
上記止着手段（５）は、スプリング（４）の後端部（４ａ）が乗り越え嵌合するように、前記押子（２）又はリフィール（３）の外周において部分的に径外方向へ突出する突起（５ａ，５ｂ，５ｃ，５ｋ）であることを特徴とする請求項１記載の多色出没式筆記具。
【請求項３】
上記止着手段（５）は、スプリング（４）の後端部（４ａ）を圧接させて係止するように、前記押子（２）又はリフィール（３）の外周において、部分的に径外方向へ突出する突起（５ｄ）若しくは軸筒中心側に位置しないように後方へ向かって拡径する拡径部（５ｅ）であることを特徴とする請求項１記載の多色出没式筆記具。
【請求項４】
前記押子（２）の前端側の外面（２ｃ）と対向するように、上記止着手段（５）として突起（５ｆ）を突設し、前記外面（２ｃ）と前記突起（５ｆ）の間に挿入されるスプリング（４）の後端部を、前記突起（５ｆ）に乗り越え嵌合させるようにしたことを特徴とする請求項１記載の多色出没式筆記具。
【請求項５】
前記押子（２）の前端側の外面（２ｃ）に、上記止着手段（５）として周方向へ連続する凹溝（５ｇ）を凹設し、この凹溝（５ｇ）に対し、スプリング（４）の後端部を嵌入させるようにしたことを特徴とする請求項１記載の多色出没式筆記具。
【請求項６】
前記押子（２）の前端側の外面（２ｃ）に、上記止着手段（５）として径方向へ凹んだ係止穴（５ｈ）を凹設すると共に、スプリング（４）の後端部に該係止穴（５ｈ）と係合する係止片部（５ｉ）を形成し、前記係止穴（５ｈ）に対し前記係止片部（５ｉ）を嵌入させるようにしたことを特徴とする請求項１記載の多色出没式筆記具。
【請求項７】
前記押子（２）の前端側に円筒部（２ｄ）を形成し、この円筒部（２ｄ）の内面に、上記止着手段（５）として突起（５ｊ）を突設し、前記突起（５ｊ）に対し、スプリング（４）の後端部を乗り越え嵌合させるようにしたことを特徴とする請求項１記載の多色出没式筆記具。
【発明の詳細な説明】
【技術分野】
【０００１】
本発明は、出没式多色ボールペンなどの多色出没式筆記具に関する。
詳しくは、軸筒の内部に、押子と、この押子の前端に取り付けられるリフィールと、これらを後方へ付勢するスプリングを備え、押子の前方操作により、リフィールの筆記先端部を軸筒の先端開口から突出させ、解除操作により突出状態のリフィールを後退させる多色出没式筆記具に関する。
【背景技術】
【０００２】
従来、この種の出没式筆記具として、その前端に先端嵌合部が形成される押子と、この押子の嵌合部と嵌合するリフィールと、このリフィールの外周に挿通されるスプリングとを夫々複数組設け、各押子の先端嵌合部をリフィールの後端に嵌挿して取り付けた後に、これらを後側軸筒の前端開口から挿入して、該押子の操作突部１２を後側軸筒の周壁に開設避けた案内孔から外部へ突出するように組み込まれると共に、これら挿入されたリフィールの外周にスプリングを挿入して夫々組み込まれ、全ての組み込みが完了した後に、各リフィールが貫挿する通孔が開穿されたガイド体を嵌着して組み込むことで、３本のリフィールを夫々軸方向へ往復動自在に案内しながら、各スプリングの前端部を受けるようにしたもがある（例えば、特許文献１参照）。
【０００３】
しかし乍ら、このような従来の出没式筆記具によれば、軸筒の内部に押子及びリフィールを挿入した後にスプリングを挿入する作業を行うが、その後工程でガイド体を嵌着するまではスプリングが固定されずフリーであるため、組立作業中にスプリングが外れ易く、スプリングが外れた時には再度挿入し直さなければならず、それにより生産性が低下するだけでなく、これらの組立作業を機械的に自動化することも困難であるという問題があった。
【特許文献１】特開２００３−６３１８６号公報（第３−４頁、図２，図４）
【発明の開示】
【発明が解決しようとする課題】
【０００４】
本発明は、上記従来事情に鑑みてなされたもので、その課題とするところは、組立時におけるスプリングの脱落を防止した多色出没式筆記具を提供することにある。
【課題を解決するための手段】
【０００５】
上記課題を解決するための一手段では、軸筒（１）の内部に、押子（２）と、この押子（２）の前端に取り付けられるリフィール（３）と、これらを後方へ付勢するスプリング（４）を、前記軸筒（１）の中心周りに複数組み備え、これら押子（２）の後端部に形成された操作突部（２ｂ）を、軸筒（１）の周壁に開穿される案内孔（１ｂ）から夫々外部へ突出させ、個別選択された押子（２）の操作突部（２ｂ）を前方へスライド操作することにより、該押子（２）に対応するリフィール（３）の筆記先端部（３ａ）を軸筒（１）の先端開口（１ａ）から突出させ、解除操作により突出状態のリフィール（３）を後退させる多色出没式筆記具であって、前記押子（２）又はリフィール（３）の後端部に、スプリング（４）を押子（２）に対して移動不能にするための止着手段（５）を設け、前記止着手段（５）は、前記押子（２）又はリフィール（３）の外周において軸筒（１）中心側に位置しないように部分的に配置されていることを特徴とする。
【発明の効果】
【０００６】
本発明は、上記構成により下記の作用効果を奏する。
押子又はリフィールの後端部に、スプリングを押子に対して移動不能にする止着手段を設けることにより、これら押子及びリフィールとスプリングとが一体化された状態で、スプリングが脱落することなく軸筒の内部への組み込み可能となる。
従って、組立時におけるスプリングの脱落を防止することができる。
よって、組立作業中にスプリングが外れ易い従来技術と比べ、脱落したスプリングを再度挿入し直す必要がなくなるから生産性を向上できると共に、これらの組み込みを機械的に自動化することも可能になって、製造コストの低減化が図れる。
【０００７】
また、止着手段として、スプリングの後端部が乗り越え嵌合する突起を設けるようにすれば、スプリングを挿入するだけで、該スプリングの後端部が嵌合して該挿入方向と逆方向へ抜け止めされる。
従って、構造が簡単でありながらスプリングの脱落を確実に防止することができる。
【発明を実施するための最良の形態】
【０００８】
本発明の出没式筆記具Ａは、図１に示す如く、軸筒１の内部に、押子２と、この押子２の前端に接続されるリフィール３と、これら押子２及びリフィール３を後方へ付勢するスプリング４からなるスライドユニットＢを軸方向へ往復動自在に組み込み、この押子２を前方へスライド操作することにより、リフィール３の筆記先端部３ａを軸筒１の先端開口１ａから突出させて、突出状態のままロックすると共に、その後の解除操作によりロック解除して、突出状態のリフィール３を後退し筆記先端部３ａを軸筒１の先端開口１ａ内に没入させるものである。
【０００９】
前記押子２は、その前端部に後述するリフィール３の後端開口３ｂと嵌合する先端嵌合部２ａを形成し、この先端嵌合部２ａをリフィール３の後端開口３ｂに嵌入して接合させることにより、これら押子２とリフィール３を着脱自在に取り付けて一体化している。
【００１０】
前記リフィール３は、その筆記先端部３ａがボールペンや中綿式マーカー又は直液式マーカーなどである場合にはインク収容管であり、また該筆記先端部３ａがシャープペンシルである場合には芯収容管であり、これら収容管の外側に後述するスプリング４が挿入される。
【００１１】
このスプリング４は、前記リフィール３のインク収容管や芯収容管の外径よりも大きな内径のコイルバネである。
【００１２】
そして、上記押子２又はリフィール３の後端部には、前記スプリング４を押子２に対して移動不能にするための止着手段５を設け、この止着手段５でスプリング４を押子２又はリフィール３の後端部に止着することにより、上記出没ユニットＢの押子２とリフィール３とスプリング４を一体化して、軸筒１の内部へ組み込み可能にしている。
【００１３】
前記止着手段５は、上記押子２の先端嵌合部２ａとリフィール３の後端開口３ｂとを嵌合させる構造及びこの嵌合作業と邪魔とならない位置、即ち押子２の先端嵌合部２ａよりも後方の外面からリフィール３の後端部に至る部分に配置され、好ましくは、押子２及び又はリフィール３に対しスプリング４を挿入するだけで、該スプリング４の後端部４ａが止着されて、少なくとも軸筒１の内部への組み込みの作業中は該止着状態が保持されるようにする。
以下、本発明の一実施例を図面に基づいて説明する。
【実施例１】
【００１４】
この実施例１は、図１に示す如く、上記軸筒１が、前軸１′と後軸１″を螺着接合させ、これら前軸１′及び後軸１″の内部に、上記押子２及び又はリフィール３に上記止着手段５でスプリング４が一体化されたスライドユニットＢを複数、図示例では３つ組み込むと共に、ガイド体６で前方から挟み込むように収納し、これら押子２の後端部に形成された操作突部２ｂを、後軸１″の周壁に開穿される案内孔１ｂから夫々外部へ突出させ、個別選択された押子２の操作突部２ｂを前方へスライド操作することにより、該押子２の後端部が係止されて、そのリフィール３の筆記先端部３ａが前軸１′の先端開口１ａから突出したままロックされるようにした多色の出没式筆記具である場合を示すものである。
【００１５】
前記止着手段５の具体例としては、様々なケースが考えられ、図１及び図２に示す場合には、上記押子２の先端嵌合部２ａよりも後方の前側外面２ｃの一部又は全体を、後方へ向かって徐々に拡径するテーパー状に形成すると共に、このテーパー状外面２ｃの後端部或いはその後方に、突起５ａを周方向へ一つだけ突設し、好ましくは該突起５ａの前端側を後方へ向けて徐々に拡径するテーパー状に傾斜させ、この突起５ａに対し、それに向け挿入されたスプリング４の後端座巻き部４ａを乗り越え嵌合させることにより、このスプリング４が該挿入方向と逆方向へ抜け止めされるようにしている。
【００１６】
その他の止着手段５の変形例を以下に示す。
図３に示すものは、前記押子２のテーパー状外面２ｃの後端部或いはその後方に、前記止着手段５として周方向へ連続する突起５ｂを周方向の半分又は略全周に亘り突設し、好ましくは該突起５ｂの前端側を後方へ向けて徐々に拡径するテーパー状に傾斜させ、この突起５ｂに対し、それに向け挿入されたスプリング４の後端座巻き部４ａを乗り越え嵌合させることにより、このスプリング４が該挿入方向と逆方向へ抜け止めされるようにしている。
【００１７】
図４に示すものは、前記押子２のテーパー状外面２ｃの後端部或いはその後方に、前記止着手段５として突起５ｃを周方向へ適宜間隔毎に複数個、図示例では３個突設し、好ましくは該突起５ｃの前端側を後方へ向けて徐々に拡径するテーパー状に傾斜させ、これら突起５ｃに対し、それに向け挿入されたスプリング４の後端座巻き部４ａを乗り越え嵌合させることにより、このスプリング４が該挿入方向と逆方向へ抜け止めされる。
【００１８】
図５に示すものは、前記押子２のテーパー状外面２ｃの後端部或いはその後方に、前記止着手段５として突起５ｄを周方向へ一つ又は適宜間隔毎に複数個突設し、好ましくは該突起５ｄの前端側を後方へ向けて断面円弧状に拡径させ、この突起５ｄに対し、それに向け挿入されたスプリング４の後端座巻き部４ａを圧接させて係止することにより、このスプリング４が該挿入方向と逆方向へ抜け止めされる。
【００１９】
図６に示すものは、前記押子２のテーパー状外面２ｃの後端部或いはその後方に、前記止着手段５としてスプリング４の後端座巻き部４ａの内径よりも若干大径な拡径部５ｅを形成し、この拡径部５ｅに対し、それに向け挿入されたスプリング４の後端座巻き部４ａを圧接させて係止することにより、このスプリング４が該挿入方向と逆方向へ抜け止めされる。
【００２０】
図７に示すものは、前記押子２のテーパー状外面２ｃと対向するように、前記止着手段５として突起５ｆを周方向へ適宜間隔毎に複数個又は一つ突設し、好ましくは該突起５ｆの前端側を後方へ向けて徐々に縮径するテーパー状に傾斜させ、これら突起５ｆに対し、それに向け挿入されたスプリング４の後端座巻き部４ａを乗り越え嵌合させることにより、このスプリング４が該挿入方向と逆方向へ抜け止めされる。
【００２１】
図８に示すものは、前記押子２のテーパー状外面２ｃの後端部或いはその後方に、前記止着手段５として周方向へ連続する凹溝５ｇを軸方向へ一つ又は適宜間隔毎に複数個凹設し、この凹溝５ｇに対し、それに向け挿入されたスプリング４の後端座巻き部４ａを嵌入させることにより、このスプリング４が該挿入方向と逆方向へ抜け止めされる。
【００２２】
図９に示すものは、前記押子２のテーパー状外面２ｃの後端部或いはその後方に、前記止着手段５として径方向へ凹んだ係止穴５ｈを周方向へ一つだけ凹設すると共に、スプリング４の後端座巻き部４ａに該係止穴５ｈと係合する係止片部５ｉを屈曲形成し、この係止穴５ｈに対し、それに向け挿入されたスプリング４の係止片部５ｉを嵌入させることにより、このスプリング４が該挿入方向と逆方向へ抜け止めされる。
【００２３】
図１０に示すものは、上記押子２の先端嵌合部２ａの外周を覆うように円筒部２ｄを形成し、この円筒部２ｄの内面に、前記止着手段５として突起５ｊを周方向へ適宜間隔毎に複数個又は一つ突設し、好ましくは該突起５ｊの前端側を後方へ向けて徐々に縮径するテーパー状に傾斜させ、これら突起５ｊに対し、それに向け挿入されたスプリング４の後端座巻き部４ａを乗り越え嵌合させることにより、このスプリング４が該挿入方向と逆方向へ抜け止めされる。
【００２４】
図１１に示すものは、上記リフィール３の後端部外周に、スプリング４の後端座巻き部４ａと係合する突起５ｋを周方向へ一つ又は適宜間隔毎に複数個突設し、この突起５ｋに対し、それに向け挿入されたスプリング４の後端座巻き部４ａを乗り越え嵌合させることにより、このスプリング４が該挿入方向と逆方向へ抜け止めされる。
更に図示せぬが、図８に示した例と同様に、リフィール３の後端部外周に凹溝（図示せず）に凹設してスプリング４の後端座巻き部４ａを嵌入させることにより、このスプリング４が該挿入方向と逆方向へ外れないようにすることも可能である。
【００２５】
これら図１〜図１１に示した例以外にも、上述した止着手段５として、例えばスプリング４を挿入前に加熱し、それと接触する押子２の先端嵌合部２ａよりも後方の前側外面２ｃを一部溶融させることで止着したり、高周波溶着や超音波溶着や接着剤などを用いて止着にすることも可能である。
【００２６】
また、上記ガイド体６は、後軸１″の内径と同じ外径の略円板状に形成され、前記スライドユニットＢのリフィール３が貫挿する通孔６ａを開穿し、後軸１″の前端開口１ｃから挿入することで、該後軸１″の軸方向の所定位置に移動不能に嵌着され、この組立状態では、各スライドユニットＢのリフィール３を夫々が軸方向へスライドされるように案内すると共に、これら通孔６ａの後縁部分で各スライドユニットＢのスプリング４の前端部を受けるようになっている。
【００２７】
次に、斯かる出没式筆記具Ａの組立時における作用効果について説明する。
先ず、上記押子２にリフィール３を取り付けた後か、又はその前に上述した止着手段５でスプリング４を押子２に対し移動不能に止着すれば、図１に示すように、これら押子２及びリフィール３とスプリング４を一体化したスライドユニットＢが得られる。
【００２８】
このようにスライドユニットＢが一体化されると、これを後軸１″の前端開口１ｃから挿入して、その押子２の操作突部２ｂを後軸１″の案内孔１ｂから外部へ突出させる組立を行っても、その作業中にスプリング４が外れて脱落することがない。
【００２９】
それにより、その後工程で、スプリング４を再度挿入し直す作業を行うことなく、ガイド体を後軸１″の前端開口１ｃから挿入して嵌着できて、各スプリング４の前端部が受け止められる。
【００３０】
その結果、生産性が向上すると共に、スライドユニットＢの組み込みを機械的に自動化することも可能になる
【００３１】
更に、上述した止着手段５として、スプリング４の後端座巻き部４ａが乗り越え嵌合する突起５ａ，５ｂ，５ｃ，５ｆ，５ｊ，５ｋを設けた場合には、スプリング４を挿入するだけで、該スプリング４の後端座巻き部４ａが嵌合して該挿入方向と逆方向へ抜け止めされるため、構造が簡単でありながらスプリング４の脱落を確実に防止できる。
【００３２】
その結果、これら突起５ａ，５ｂ，５ｃ，５ｆ，５ｊ，５ｋが突設される押子２又はリフィール３を型形成している場合には、その成形型の改造も容易であり、容易でしかも低コストで導入できるという利点がある。
【００３３】
また、図１及び図２に示すように、前記止着手段５として、上記押子２のテーパー状外面２ｃの後端部又はその後方に突起５ａを周方向へ一つだけ設けた場合には、この部分的に突出する突起５ａへスプリング４の後端座巻き部４ａを挿入して嵌合させるため、弾性変形し易いスプリング４であっても乗り越え嵌合が容易で、しかも確実に抜け止めできて組立作業中の脱落を防止できるという利点がある。
【００３４】
また更に、図１０に示すように、前記止着手段５として、上記押子２の先端嵌合部２ａの外周を覆うように円筒部２ｄが形成された場合には、その内周に設けられた突起５ｊにスプリング４の後端座巻き部４ａを止着した状態で、その止着箇所が円筒部２ｄ内に隠れるため、組立時に後軸１″の内面などに接触しないから、更にスプリング４が脱落し難くなるという利点がある。
【図面の簡単な説明】
【００３５】
【図１】本発明の一実施例を示す出没式筆記具の部分的に分解した正面図である。
【図２】スライドユニットの拡大斜視図で、（ａ）が組立前の分解状態を示し、（ｂ）が組立後の止着状態を示している。
【図３】止着手段の変形例を示す部分的な拡大分解斜視図である。
【図４】止着手段の変形例を示す部分的な拡大分解斜視図である。
【図５】止着手段の変形例を示す部分的な拡大分解斜視図である。
【図６】止着手段の変形例を示す部分的な拡大側面図である。
【図７】止着手段の変形例を示す部分的な拡大側面図である。
【図８】止着手段の変形例を示す部分的な拡大側面図である。
【図９】止着手段の変形例を示す部分的な拡大分解斜視図である。
【図１０】止着手段の変形例を示す部分的な拡大側面図である。
【図１１】止着手段の変形例を示す部分的な拡大側面図である。
【符号の説明】
【００３６】
１  軸筒                              １ａ  先端開口
２  押子                              ３  リフィール
３ａ  筆記先端部                      ４  スプリング
４ａ  後端部（後端座巻き部）          ５  止着手段
５ａ，５ｂ，５ｃ，５ｆ，５ｊ  突起
【図１】
0004842651.tif 000002
【図２】
0004842651.tif 000003
【図３】
0004842651.tif 000004
【図４】
0004842651.tif 000005
【図５】
0004842651.tif 000006
【図６】
0004842651.tif 000007
【図７】
0004842651.tif 000008
【図８】
0004842651.tif 000009
【図９】
0004842651.tif 000010
【図１０】
0004842651.tif 000011
【図１１】
0004842651.tif 000012